(57)【要約】【課題】接尾語が付与された人名の検索をも可能とし、本名から予想される通称人名の検索が可能な人名検索装置又は方法を提供すること【解決手段】人名検索装置又は方法において、入力漢字文字列を１文字、又は漢字２文字以上からなる漢字列の漢字パターンへ展開する手段と、展開された漢字パターンを、ひらがな又はかたかなに変換し、該かなを人名検索条件に追加する振り仮名データ追加手段と、振り仮名の文字列を１文字又は２文字以上のひらがな又はかたかなの振り仮名パターンに展開する振り仮名パターン展開手段と、展開された振り仮名パターンに、接尾語を付与し、人名検索条件に追加する接尾語付与手段とを設ける。【選択図】図１
2005196372.tif 000002
【特許請求の範囲】
【請求項１】
人名を漢字表記、又はひらがな表記された文字を人名検索条件として入力する文字入力部と、本名、又は通称人名が登録してある人名登録部と、前記文字入力部から入力された人名に基づいて前記人名登録部を検索する人名検索部と、検索結果を表示する表示部とを備えた人名検索装置において、
前記文字入力部から入力された文字列が漢字表記のとき、その漢字文字列を１文字、又は漢字２文字以上からなる漢字列の漢字パターンへ展開する漢字パターン展開部と、
前記漢字パターン展開部にて展開された漢字パターンを、漢字読み情報が保持してある漢字読保持部からの情報に基づいてひらがな又はかたかなに変換し、該かなを前記人名検索条件に追加する振り仮名データ追加部と、
前記振り仮名の文字列を１文字又は２文字以上のひらがな又はかたかなの振り仮名パターンに展開する振り仮名パターン展開部と、
前記振り仮名パターン展開部にて展開された振り仮名パターンに、接尾語情報が登録してある接尾語保持部の情報に基づいて接尾語を付与し、前記人名検索条件に追加する接尾語付与部と、
を設け、前記入力人名文字、振り仮名、接尾語からなる人名検索条件をもって前記人名検索部を検索することを特徴とする人名検索装置。
【請求項２】
人名を漢字表記、又はひらがな表記された文字を人名検索条件として入力し、該入力された人名に基づいて人名登録部を検索する人名検索方法において、
前記入力された文字列が漢字表記のとき、その漢字文字列を１文字、又は漢字２文字以上からなる漢字列の漢字パターンへ展開する漢字パターン展開ステップと、
前記漢字パターン展開ステップにて展開された漢字パターンを、漢字読み情報に基づいてひらがな又はかたかなに変換し、該かなを前記人名検索条件に追加する振り仮名データ追加ステップと、
前記振り仮名の文字列を１文字又は２文字以上のひらがな又はかたかなの振り仮名パターンに展開する振り仮名パターン展開ステップと、
前記振り仮名パターン展開ステップにて展開された振り仮名パターンに、接尾語情報に基づいて接尾語を付与し、前記人名検索条件に追加する接尾語付与ステップと、
からなり、前記入力人名文字、振り仮名、接尾語からなる人名検索条件をもって人名検索を実行することを特徴とする人名検索方法。
【発明の詳細な説明】
【技術分野】
【０００１】
本発明は、人名検索装置及び人名検索方法に関し、更に詳しくは通称人名を含む人名の登録によって構成されているデータベース、例えば新聞記者が収集した取材メモの蓄積により構築されたデータベースを検索する際に好適な情報検索システムにおける人名検索装置及び方法に関する。
【背景技術】
【０００２】
人名を検索する装置として、検索人名文字列入力部より、先頭のひらがな一文字、又は数文字を入力し、その入力ひらがな表記から導かれる人名を検索する方法がある。この方法は、正確な人名が検索データベースに登録されていることが前提となっている。しかしながら、近年情報系のデータベースには、入手した情報が編集されないまま登録される機会が多くなっている。この中には、日本人名の呼称である通称人名も多く含まれている。これらのデータベースに対して行う検索作業では、文字列入力部より入力されたそのままの形ではなく、類似語、同義語や関連語での検索機能が必要とされている。人名に対しても同様に、同義の人名を検索する機能が必要とされている。また、人名を検索する技術として、例えば、外国人名の文字列を発音ベースのアルファベットに正規化し検索する方法がある。
【０００３】
【特許文献１】特開平５−２５０３５１号公報
【特許文献２】特開平７−１９２０１８号公報
【発明の開示】
【発明が解決しようとする課題】
【０００４】
一般的に、人に用いられる通称人名（呼称名）は、本人の体型や似ている有名人から引用して付けられることがある。しかしながら、世の中の通称人名の大部分は本人の名前の一部を用いたものや、漢字の読み方を変えたもの、名前に「ちゃん」、「さん」、「やん」等の接尾語を付与したもので、本人の名前に由来したものになっていることが非常に多い。
【０００５】
上述した従来の技術では、発音が似通った人名の検索が可能であったが、通称人名に数多く用いられる「ちゃん」、「さん」、「やん」等の接尾語が付与される通称人名に対する検索まで配慮されておらず、これらの通称人名の検索ができない課題があった。
【０００６】
本願発明は、かかる課題に対し鑑みなされ、接尾語が付与された人名の検索をも可能とし、本名から予想される通称人名の検索が可能な人名検索装置又は方法を提供することにある。
【課題を解決するための手段】
【０００７】
人名検索装置又は方法において、入力漢字文字列を１文字、又は漢字２文字以上からなる漢字列の漢字パターンへ展開する手段と、展開された漢字パターンを、ひらがな又はかたかなに変換し、該かなを人名検索条件に追加する振り仮名データ追加手段と、振り仮名の文字列を１文字又は２文字以上のひらがな又はかたかなの振り仮名パターンに展開する振り仮名パターン展開手段と、展開された振り仮名パターンに、接尾語を付与し、人名検索条件に追加する接尾語付与手段とを設ける。
【発明の効果】
【０００８】
本発明の如く、接尾語を含めた人名検索条件とした人名検索により、通称人名が分からない場合でも本名が分かっていれば、本名から想定される通称人名を検索可能となり、検索漏れや検索の手間が減り、検索業務の効率的な運用が図れる。
【発明を実施するための最良の形態】
【０００９】
効率の良い人名検索装置又は方法を提供とする目的を、接尾語を付与する手段することで簡単に実現した。
【実施例１】
【００１０】
図１は、本発明の実施例を示す構成図である。人名検索装置は、検索人名文字列入力部１と、漢字パターン展開部２、振り仮名データ追加部３、振り仮名パターン展開部４を含む検索文字列展開部と、接尾語付加部５、人名検索部６、漢字読みテーブル保持部７、接尾語テーブル保持部８、検索対象データ保持部９等から構成されている。検索人名文字列入力部１はキーボートから構成され、検索文字列展開部２〜４、接尾語付加部５、人名検索部６は例えばマイクロコンピュータ等にて構成され、漢字読みテーブルが保持された保持部７、接尾語テーブルが保持された保持部８、検索対象データ保持部９はそれぞれの情報を記憶する記憶装置から構成されている。記憶装置はコンピュータ内に内蔵しても良く、また１つの記憶装置を、それぞれ領域を使い分けて使用していも良い。
【００１１】
図２は、漢字読みテーブル保持部７の一具体例を示し、漢字欄とふりがな欄とからなるテーブルを有している。図３は、接尾語テーブル保持部８の一具体例を示し、番号欄と接尾語欄とからなるテーブルを有している。
【００１２】
検索文字列入力部１は、検索する人名を入力する。漢字パターン展開部２は、入力文字列を展開し、検索条件に追加する。振り仮名データ追加部３は、展開文字列群に漢字読みテーブル保持部７の情報を元に振り仮名化し、検索条件群に追加する。振り仮名パターン展開部４は、振り仮名追加部３にて作成された検索条件群の内で仮名の検索条件文字列を展開し、検索条件群に追加する。接尾語付加部５は、振り仮名パターン展開部４にて作成された検索条件群に接尾語テーブル保持部８の情報を元に接尾語を付与し、検索条件群に追加する。人名検索部６は、接尾語付加部５で作成された検索条件群を条件に、検索対象データ保持部９に完全に一致する人名検索を実行する。
【００１３】
図４は、本発明のフローチャートを示す図である。同図において、ステップ４１にて検索文字（漢字文字列）、例えば「金田一」を入力する。続いてステップ４２にて漢字文字列を所望の数に展開、例えば図２の漢字欄の如く、「金田一」「金田」「金田」「金田」「金田」「金」「金」「金」とし、ステップ４３にて漢字文字列を仮名に変換、例えば図２のふりがな欄の如く、「金田一」は「きんだいち」、「金田」は「かねだ」「かなた」「きんた」「きんだ」に変換し、「金」は「きん」「かね」「こん」に変換し、これらを検索条件群に追加する。ステップ４４にて検索条件群の内で仮名の検索条件は、文字数が１になるまで最後尾の文字を削除しながら、その仮名文字列を複数の検索条件に展開し、検索条件群に追加する。次に、ステップ４５にて検索条件群に接尾語を追加、例えば「きん」は接尾語を付与し、「きんちゃん」「きんさん」「きん君」「きんくん」「きんやん」「きん氏」「きんーちゃん」「きんーさん」「きん」とし、検索条件群に追加する。最後にステップ４６にて検索対象データ保持部９に完全一致の検索を実行する。
【図面の簡単な説明】
【００１４】
【図１】本発明の通称人名検索装置の機能ブロック図
【図２】本発明の漢字読みテーブルの例を示す図
【図３】本発明の接尾語テーブルの例を示す
【図４】本発明の処理内容を説明するフローチャート図
【符号の説明】
【００１５】
１・・・検索人名文字列入力部、２・・・漢字パターン展開部、３・・・振り仮名データ追加部、４・・・振り仮名パターン展開部、５・・・接尾語付加部、６・・・人名検索部、７・・・漢字読み取りテーブル保持部、８・・・接尾語テーブル保持部、９・・・検索対象データ保持部。
【図１】
2005196372.tif 000003
【図２】
2005196372.tif 000004
【図３】
2005196372.tif 000005
【図４】
2005196372.tif 000006